【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
外部端末から入力された注釈画像を対象物及び背景を含む投影領域に投影する投影装置、及び当該対象物及び当該背景を含む投影領域を撮影する撮影装置に接続される情報処理装置であって、
前記撮影装置により撮影された撮影画像に基づいて、前記対象物の移動を検出する検出手段と、
前記対象物の移動により生じた前記撮影画像上の変化領域を抽出する抽出手段と、
当該変化領域に前記注釈画像が含まれる場合に、前記撮影画像及び前記注釈画像の少なくとも一方に対する処理を実行する処理手段とを備えることを特徴とする情報処理装置。
【請求項２】
前記検出手段は、前記撮影装置により撮影された撮影画像と、当該撮影画像の直後に撮影された撮影画像とを比較することにより、前記対象物の移動を検出することを特徴とする請求項１記載の情報処理装置。
【請求項３】
前記検出手段は、前記撮影装置により撮影された撮影画像と、当該撮影画像の直後に撮影された撮影画像とをそれぞれ複数の小領域に分割し、互いに対応する分割された小領域同士を比較することにより、前記対象物の移動を検出することを特徴とする請求項１又は２記載の情報処理装置。
【請求項４】
前記抽出手段は、前記外部端末からの前記注釈画像の入力中に生じる前記変化領域又は前記外部端末からの前記注釈画像の座標情報に基づいて前記投影領域内の前記注釈画像の領域を無視することを特徴とする請求項１乃至３のいずれか１項に記載の情報処理装置。
【請求項５】
前記処理手段により実行される処理には、前記注釈画像の消去が含まれることを特徴とする請求項１乃至４のいずれか１項に記載の情報処理装置。
【請求項６】
前記処理手段で消去される注釈画像の情報を前記外部端末に送信する送信手段をさらに備え、
前記外部端末は、前記撮影装置による撮影画像を表示すると共に、前記送信手段からの消去される注釈画像の情報に応じて、当該注釈画像の消去の取消を前記処理手段に対して指示可能な指示部を表示する画像表示手段を備えることを特徴とする請求項５に記載の情報処理装置。
【請求項７】
前記画像表示手段は、前記送信手段からの消去される注釈画像の情報に応じて、当該注釈画像を一定時間点滅表示することを特徴とする請求項６に記載の情報処理装置。
【請求項８】
前記処理手段は、前記変化領域に前記注釈画像の一部が含まれる場合に、当該注釈画像の全てを消去することを特徴とする請求項５乃至７のいずれか１項に記載の情報処理装置。
【請求項９】
前記処理手段は、前記変化領域から所定距離広げた範囲内にある注釈画像をも消去することを特徴とする請求項５乃至８のいずれか１項に記載の情報処理装置。
【請求項１０】
前記処理手段は、前記外部端末から入力された複数の注釈画像を１つのグループとして扱い、少なくとも１つの注釈画像を消去する場合には、同一グループに属する他の注釈画像も消去することを特徴とする請求項５乃至９のいずれか１項に記載の情報処理装置。
【請求項１１】
前記外部端末から前記注釈画像及び当該注釈画像に関連付けられている領域の情報を取得する取得手段を更に備え、
前記処理手段は、前記変化領域に前記注釈画像に関連付けられている領域が含まれる場合に、前記注釈画像を消去することを特徴とする請求項５乃至１０のいずれか１項に記載の情報処理装置。
【請求項１２】
前記処理手段により実行される処理には、前記変化領域に前記注釈画像が含まれる前の時点における前記撮影画像の記憶、が含まれることを特徴とする請求項１乃至１１のいずれか１項に記載の情報処理装置。
【請求項１３】
前記処理手段は、前記変化領域に前記注釈画像の少なくとも一部が含まれる場合に、その前の時点における前記撮影画像を記憶することを特徴とする請求項１２に記載の情報処理装置。
【請求項１４】
前記処理手段は、前記変化領域から所定距離広げた範囲内に前記注釈画像の少なくとも一部が含まれる場合にも、その前の時点における前記撮影画像を記憶することを特徴とする請求項１２又は１３に記載の情報処理装置。
【請求項１５】
対象物及び外部端末から入力された注釈画像を表示領域に表示する表示手段と、
前記対象物の移動を検出する検出手段と、
前記対象物の移動により生じた、前記表示領域内の変化領域を抽出する抽出手段と、
当該変化領域に前記注釈画像が含まれる場合に、前記表示領域内における表示に対する処理を実行する処理手段とを備えることを特徴とする情報処理装置。
【請求項１６】
前記抽出手段は、前記外部端末からの前記注釈画像の入力中に生じる前記変化領域又は前記外部端末からの前記注釈画像の座標情報に基づいて前記表示領域内の前記注釈画像の領域を無視することを特徴とする請求項１５に記載の情報処理装置。
【請求項１７】
前記処理手段により実行される処理には、前記注釈画像の消去が含まれることを特徴とする請求項１５又は１６に記載の情報処理装置。
【請求項１８】
前記処理手段は、前記変化領域に前記注釈画像の一部が含まれる場合に、当該注釈画像の全てを消去することを特徴とする請求項１７に記載の情報処理装置。
【請求項１９】
前記処理手段は、前記変化領域から所定距離広げた範囲内にある注釈画像をも消去することを特徴とする請求項１７又は１８に記載の情報処理装置。
【請求項２０】
前記処理手段は、前記外部端末から入力された複数の注釈画像を１つのグループとして扱い、少なくとも１つの注釈画像を消去する場合には、同一グループに属する他の注釈画像も消去することを特徴とする請求項１７乃至１９のいずれか１項に記載の情報処理装置。
【請求項２１】
前記外部端末から前記注釈画像及び当該注釈画像に関連付けられている領域の情報を取得する取得手段を更に備え、
前記処理手段は、前記変化領域に前記注釈画像に関連付けられている領域が含まれる場合に、前記注釈画像を消去することを特徴とする請求項１７乃至２０のいずれか１項に記載の情報処理装置。
【請求項２２】
前記処理手段により実行される処理には、前記変化領域に前記注釈画像が含まれる前の時点における前記表示領域内の表示の記憶、が含まれることを特徴とする請求項１５乃至２１のいずれか１項に記載の情報処理装置。
【請求項２３】
前記処理手段は、前記変化領域に前記注釈画像の少なくとも一部が含まれる場合に、その前の時点における前記表示領域内の表示を記憶することを特徴とする請求項２２に記載の情報処理装置。
【請求項２４】
前記処理手段は、前記変化領域から所定距離広げた範囲内に前記注釈画像の少なくとも一部が含まれる場合にも、その前の時点における前記表示領域内の表示を記憶することを特徴とする請求項２２又は２３に記載の情報処理装置。
【請求項２５】
外部端末から入力された注釈画像を対象物及び背景を含む投影領域に投影する投影装置、及び当該対象物及び当該背景を含む投影領域を撮影する撮影装置に接続される情報処理装置であって、
前記撮影装置により撮影された撮影画像に基づいて、前記対象物の移動を検出する検出手段と、
前記対象物の移動により生じた前記撮影画像上の変化領域を抽出する抽出手段と、
当該変化領域の情報と、当該変化領域に含まれる前記注釈画像の情報との少なくとも一方に基づいて、前記撮影画像の重要度を算出し、前記重要度に応じた前記撮影画像の記憶を実行する記憶手段とを備えることを特徴とする情報処理装置。
【請求項２６】
対象物及び外部端末から入力された注釈画像を表示領域に表示する表示手段と、
前記対象物の移動を検出する検出手段と、
前記対象物の移動により生じた、前記表示領域内の変化領域を抽出する抽出手段と、
当該変化領域の情報と、当該変化領域に含まれる前記注釈画像の情報との少なくとも一方に基づいて、前記表示領域内の表示の重要度を算出し、前記重要度に応じた前記表示の記憶を実行する記憶手段とを備えることを特徴とする情報処理装置。
【請求項２７】
前記記憶手段は、前記重要度が所定値以上である場合に、前記記憶を実行することを特徴とする請求項２５又は２６に記載の情報処理装置。
【請求項２８】
前記記憶手段は、前記記憶を実行する際に、前記重要度のデータも記憶することを特徴とする請求項２５乃至２７のいずれか１項に記載の情報処理装置。
【請求項２９】
前記重要度の算出に用いられる前記変化領域の情報には、該変化領域の大きさ、前記変化領域が発生するまでの時間の少なくとも一方が含まれ、
前記変化領域に含まれる前記注釈画像の情報には、前記変化領域に含まれる前記注釈画像の数、前記変化領域内に複数の注釈画像が含まれる場合における各注釈画像間の距離及び各注釈画像が描画された時間間隔の少なくとも１つが含まれることを特徴とする請求項２５乃至２８のいずれか１項に記載の情報処理装置。
【請求項３０】
外部端末から入力された注釈画像を対象物及び背景を含む投影領域に投影する投影装置、及び当該対象物及び当該背景を含む投影領域を撮影する撮影装置に接続されるコンピュータを、
前記撮影装置により撮影された撮影画像に基づいて、前記対象物の移動を検出する検出手段、
前記対象物の移動により生じた前記撮影画像上の変化領域を抽出する抽出手段、及び
当該変化領域に前記注釈画像が含まれる場合に、前記撮影画像及び前記注釈画像の少なくとも一方に対する処理を実行する処理手段として機能させることを特徴とするプログラム。
【請求項３１】
コンピュータを、
対象物及び外部端末から入力された注釈画像を表示領域に表示する表示手段、
前記対象物の移動を検出する検出手段、
前記対象物の移動により生じた、前記表示領域内の変化領域を抽出する抽出手段、及び
当該変化領域に前記注釈画像が含まれる場合に、前記表示領域内における表示に対する処理を実行する処理手段として機能させることを特徴とするプログラム。
【請求項３２】
外部端末から入力された注釈画像を対象物及び背景を含む投影領域に投影する投影装置、及び当該対象物及び当該背景を含む投影領域を撮影する撮影装置に接続されるコンピュータを、
前記撮影装置により撮影された撮影画像に基づいて、前記対象物の移動を検出する検出手段、
前記対象物の移動により生じた前記撮影画像上の変化領域を抽出する抽出手段、及び
当該変化領域の情報と、当該変化領域に含まれる前記注釈画像の情報との少なくとも一方に基づいて、前記撮影画像の重要度を算出し、前記重要度に応じた前記撮影画像の記憶を行う記憶手段として機能させることを特徴とするプログラム。
【請求項３３】
コンピュータを、
対象物及び外部端末から入力された注釈画像を表示領域に表示する表示手段、
前記対象物の移動を検出する検出手段、
前記対象物の移動により生じた、前記表示領域内の変化領域を抽出する抽出手段、及び
当該変化領域の情報と、当該変化領域に含まれる前記注釈画像の情報との少なくとも一方に基づいて、前記表示領域内の表示の重要度を算出し、前記重要度に応じた前記表示の記憶を実行する記憶手段として機能させることを特徴とするプログラム。
【手続補正２】
【補正対象書類名】明細書
【補正対象項目名】００１０
【補正方法】変更
【補正の内容】
【００１０】
請求項４の情報処理装置は、請求項１乃至３のいずれか１項に記載の情報処理装置において、前記抽出手段は、前記外部端末からの前記注釈画像の入力中に生じる前記変化領域又は前記外部端末からの前記注釈画像の座標情報に基づいて前記投影領域内の前記注釈画像の領域を無視することを特徴とする。
【手続補正３】
【補正対象書類名】明細書
【補正対象項目名】０１２３
【補正方法】変更
【補正の内容】
【０１２３】
図１１に戻り、制御部１０１は、変化領域１３０、１３０’にアノテーション画像が含まれているか否かを判別する（ステップＳ１０７）。表示部２０５の表示領域１２内にアノテーション画像が書き込まれると、アノテーション画像を示す座標情報がＰＣ２からＰＣ１に送信される。よって、ステップＳ１０７の判別は、制御部１０１が、上記変化領域１３０，１３０’に対応する座標情報にアノテーション画像を示す座標情報が含まれるか否かを判別することにより実行される。
【手続補正４】
【補正対象書類名】明細書
【補正対象項目名】０１３３
【補正方法】変更
【補正の内容】
【０１３３】
ここで、重要度について具体的に説明すると、例えば、図１４（Ａ）、図１４（Ｂ）に示されるように、変化領域１３０，１３０’に含まれるアノテーション画像の数が異なる場合には、アノテーション画像の数が多いほど、撮影画像Ｐｆの重要度が高くなるように（「図１４（Ａ）の重要度＜図１４（Ｂ）の重要度」となるように）取り扱うこととする。また、図１４（Ｃ）、図１４（Ｄ）に示されるように、変化領域１３０，１３０’内に複数のアノテーション画像が存在する場合には、各アノテーション画像間の距離が小さい方（接近度が高い方）の撮影画像Ｐｆの重要度が高くなるように（「図１４（Ｃ）の重要度＜図１４（Ｄ）の重要度」となるように）取り扱うこととする。更に、図１４（Ｅ）、図１４（Ｆ）に示されるように、変化領域の大きさが異なる場合には、変化領域が大きいほど、撮影画像Ｐｆの重要度が高くなるように（「図１４（Ｅ）の重要度＜図１４（Ｆ）の重要度」となるように）取り扱うこととする。